(57)【特許請求の範囲】
【請求項１】
ａ：長穴（１ｂ）とボルト・ナット（１００ａ・１００ｂ）により、スクリーンに対する左右方向の位置、または前後方向の位置を調整可能に、かつ周縁の上向きの折り曲げ縁部（１ａ）を天井下面に密着させて天井（１００）に対して取り付けられる第１プレート（１）と、
ｂ：前記第１プレート（１）の下面に対して、四辺形の４つの頂点に対応する位置関係に互いに間隔をあけて設けた４本の下向きボルト（１ｄ）、あるいは三角形の３つの頂点に対応する位置関係に互いに間隔をあけて設けた３本の下向きボルトと、
ｃ：前記の各下向きボルト（１ｄ）が対応して貫通する穴（２ｂ）と長穴（２ｄ）を有し、各下向きボルト（１ｄ）に対して上下面側においてそれぞれ球面座金（２ｋ）を介してナット（２ｍ）間に挟み込まれて取り付け支持され、各下向きボルト（１ｄ）の長手におけるナット位置の調整と、前記長穴（２ｄ）により、前記第１プレート（１）に対して上下方向の位置、水平方向の角度姿勢、スキュー角を調整可能である第２プレート（２）と、
ｄ：投影装置（ＶＰ）を支持し、前記第２プレート（２）に対して、その下側において横軸（２ｇ）を中心に垂直方向の角度姿勢を調整可能に取り付けられる第３プレート（３）と、
ｅ：前記横軸（２ｇ）を中心に垂直方向の角度姿勢を調整した前記第３プレート（３）を前記第２プレート（２）に対して固定する固定部材（３ｑ）と、
を有することを特徴とする投影装置の天吊り金具。
【発明の詳細な説明】
【０００１】
【発明の属する技術分野】
本発明は、３管式ビデオプロジェクター、液晶ビデオプロジェクター、映写機、幻灯機等の投影装置を天井下面から吊り下げ設置するための天吊り金具（プロジェクターサスペンションサポート）に関する。
【０００２】
【従来の技術】
３管式ビデオプロジェクター（以下、単にプロジェクターと記す）を例にして説明する。このプロジェクターを天井下面に設置し、壁面等に設置したスクリーン面に映像を投影する方式の場合、プロジェクターは、該プロジェクターの重量（通常５０〜６０ｋｇ）を十分に支持し得る天井側部材に対して天吊り金具を介して設置される。
【０００３】
天井に対するプロジェクターの設置後、該プロジェクターの３原色レッドＲ／グリーンＧ／ブルーＢの３つの投射管からそれぞれスクリーン面に投影される３原色像の相互合成により色ズレや不自然な画像歪み等なく良好なカラー画像が合成投影される状態になるように、スクリーン面上での３原色投影像相互を適正に像合せするレジストレーション調整がなされる。
【０００４】
このレジストレーション調整は、上記３つの投射管の夫々の電気制御回路に付属の種々の電気的補正・調整手段を操作することで、先ず中央投射管であるグリーンＧの投射管について該投射管からスクリーン面に投影されるテストパターンのグリーン像の投影画像状態を適正に電気的に補正・調整する（フォーカス調整、打ち込み角調整、スクリーン中心とテストパターン像中心を合わせるセンター合わせ、スクリーンに対する上下左右の画面サイズや上下左右のアンバランス調整（リニアリティー）、スキュー（ＳＫＥＷ）やボウ（ＢＯＷ）の調整、キーストーンやピンクションの調整など）。
【０００５】
次にこのグリーン像を中心（基準）に、左右側投射管であるレッドＲとブルーＢの各投射管について、各投射管からスクリーン面に投影されるテストパターンのレッド像・ブルー像がグリーン像に適正に合わさるようにそれぞれの投影画像状態を適正に電気的に補正・調整して行なわれる。
【０００６】
しかし、各投射管の電気的な補正・調整手段によるレジストレーション調整は調整可能範囲が比較的狭いし、また調整範囲の限界近くまで補正・調整することはプロジェクター本体の電気制御系に無理・負担をかけることになる。
【０００７】
そこで、プロジェクターを天井側部材に対して設置支持させる天吊り金具に、スクリーンに対するプロジェクターの支持姿勢を機械的に調整できるメカニカル機構部を具備させて、そのメカニカル機構部の調整操作により上記のレジストレーション調整をある程度できるようにし、電気的な補正・調整による無理・負担を軽減させるようにしている。
【０００８】
【発明が解決しようとする課題】
しかしながら、従来の天吊り金具は、横軸を中心とするプロジェクターの垂直方向の角度姿勢調整ができるだけのもの、あるいはこの垂直方向の角度姿勢調整に加えて、縦軸を中心とするプロジェクターの水平方向の角度姿勢調整ができるだけのものであり、スクリーンに対するプロジェクターの支持姿勢や関係位置を所望に補正・調整する自由度が小さいものであった。
【０００９】
そのために上記のレジストレーション調整のかなりの範囲はやはり電気的な補正・調整手段に頼らなければいけなく、プロジェクター本体の電気制御系に無理・負担をかける状況を改善することは実際上あまりできず、またレジストレーション調整作業に手間を要している。
【００１０】
本発明はこの問題を解消するものである。
【００１１】
【課題を解決するための手段】
本発明は下記の構成を特徴とする投影装置の天吊り設置金具である。
【００１２】
ａ：長穴（１ｂ）とボルト・ナット（１００ａ・１００ｂ）により、スクリーンに対する左右方向の位置、または前後方向の位置を調整可能に、かつ周縁の上向きの折り曲げ縁部（１ａ）を天井下面に密着させて天井（１００）に対して取り付けられる第１プレート（１）と、
ｂ：前記第１プレート（１）の下面に対して、四辺形の４つの頂点に対応する位置関係に互いに間隔をあけて設けた４本の下向きボルト（１ｄ）、あるいは三角形の３つの頂点に対応する位置関係に互いに間隔をあけて設けた３本の下向きボルトと、
ｃ：前記の各下向きボルト（１ｄ）が対応して貫通する穴（２ｂ）と長穴（２ｄ）を有し、各下向きボルト（１ｄ）に対して上下面側においてそれぞれ球面座金（２ｋ）を介してナット（２ｍ）間に挟み込まれて取り付け支持され、各下向きボルト（１ｄ）の長手におけるナット位置の調整と、前記長穴（２ｄ）により、前記第１プレート（１）に対して上下方向の位置、水平方向の角度姿勢、スキュー角を調整可能である第２プレート（２）と、
ｄ：投影装置（ＶＰ）を支持し、前記第２プレート（２）に対して、その下側において横軸（２ｇ）を中心に垂直方向の角度姿勢を調整可能に取り付けられる第３プレート（３）と、
ｅ：前記横軸（２ｇ）を中心に垂直方向の角度姿勢を調整した前記第３プレート（３）を前記第２プレート（２）に対して固定する固定部材（３ｑ）と、
を有することを特徴とする投影装置の天吊り金具。
【００１８】
〈作  用〉
上記構成の天吊り金具は、投影装置の垂直方向・水平方向の角度姿勢調整ばかりでなく、スクリーンに対する左右方向の位置、前後方向の位置、上下方向の吊り高さ、スキュー角度についても容易にメカニカルに調整することができて、スクリーンに対する投影装置の関係位置や支持姿勢を全方位的に所望に補正・調整することができる大きな自由度があるから、これによりレジストレーション調整の粗方をこのメカニカル調整で行ない、電気的な補正・調整手段によるレジストレーション調整は微調整操作として無理・負担のない範囲でかつ容易に行なうことが可能となる。
【００１９】
【発明の実施の形態】
図１は本発明に従う天吊り金具Ａを用いて３管式ビデオプロジェクターＶＰを天井１００の下面に吊り下げて取り付け設置した状態の正面図、図２はその右側面図、図３の（ａ）は天吊り金具Ａ部分の一部切欠き拡大正面図、（ｂ）は一部切欠き拡大右側面図、図４は天吊り金具Ａの分解斜視図である。
【００２０】
天井１００は本例の場合は、プロジェクターＶＰの重量を十分に支持し得るコンクリート天井である。この天井１００の下面のプロジェクターを設置すべき部分には予めスクリーンとの関係において所定の位置に四辺形の４つの頂点に対応する位置関係に互いに所定の間隔をあけて都合４本の吊り下げボルト１００ａを植え込んで設けてある。
【００２１】
プロジェクターＶＰにおいて、Ｒ・Ｇ・Ｂはそれぞれプロジェクター本体正面の３原色レッドＲ／グリーンＧ／ブルーＢの３つの投射管部分である。
【００２２】
天吊り金具Ａは図４の分解斜視図に示すように、第１プレート１（天井マウントプレート）、第２プレート２（メインブラケット）、第３プレート３（サスペンションブラケット）を主体としてなる。何れも３ｍｍ厚程度のスチール板の成形品である。
【００２３】
（ａ）第１プレート１
第１プレート１は本例のものは４２０ｍｍ四方の角板であり、周縁に高さ１８ｍｍ程度の上向きの折り曲げ縁部（袴部）１ａを具備させてある。該プレート１面には四隅側に前後方向あるいは左右方向を長手とする都合４つの長穴１ｂを形成してあり、それぞれ天井１００側の前記４本の吊り下げボルト１００ａに対応する。１ｃは該プレート１の軽量化のための抜き穴である。
【００２４】
該第１プレート１の下面側の四隅部には四辺形の４つの頂点に対応する位置関係に互いに所定の間隔をあけて都合４本の吊り下げボルト１ｄを溶接固着して設けてある。
【００２５】
この第１プレート１を、その四隅側の各長穴１ｂを天井１００側の４本の各吊り下げボルト１００ａに対応させて、各ボルト１００ａにナット１００ｂを螺着し、第１プレート１の周縁の上向きの折り曲げ縁部１ａが天井下面に隙間なく当接するまでナット１００ｂを十分に締め込むことで、天井１００の下面に対して取り付け支持させる。この取り付けにおいて、該第１プレート１のセンターがスクリーンのセンターと一致するように第１プレート１の天井下面に対する位置を長穴１ｂで位置調整する。
【００２６】
また第１プレート１は天井下面の水平が出ていなくともその天井下面に隙間なくピッタリと取り付けることで、隙間ができることによる違和感がなくなり、プロジェクター設置状態の外観体裁が良くなる。
【００２７】
（ｂ）第２プレート２
第２プレート２は左右方向４６０ｍｍ・前後方向４５０ｍｍの角板であり、左右辺側はそれぞれ下方に折り曲げて側壁板部２ａを具備させてある。
【００２８】
プレート２面の前辺側の右隅角部には丸穴２ｂを、左隅角部には前後方向の長穴２ｃを、後辺側の右隅角部には左右方向の長穴２ｄを、左隅角部には斜め方向の長穴２ｅを形成具備させてあり、それぞれ第１プレート１側の前記４本の吊り下げボルト１ｄに対応する。２ｆは該プレート２の軽量化のための抜き穴である。
【００２９】
また、この第２プレート２の左右の側壁板部２ａのプレート前辺側の外面にはそれぞれ軸線を一致させてボス２ｇを外方に突出させて溶接固定して具備させてある。同じく左右の側壁板部２ａのプレート後辺側にはそれぞれ軸線を一致させてボルト挿入穴２ｈを設け、この穴位置の側壁板部内側にはナット２ｉを溶接固定して具備させてある。図５はこのボルト挿入穴２ｈとナット２ｉ部分の拡大断面図である。
【００３０】
そして前記のように天井下面に取り付けた第１プレート１の都合４本の各下向き吊り下げボルト１ｄにそれぞれ第２プレート２側の上記丸穴・長穴２ｂ〜２ｅを対応させ、各ボルト１ｄに対して該プレート２の上下面側においてそれぞれ球面座金２ｋ・２ｋを介してナット２ｍ・２ｍ間に挟み込ませて、第２プレート２を第１プレート１の４本の各吊り下げボルト１ｄに取り付け支持させる。図６はこの球面座金２ｋ・２ｋ，ナット２ｍ・２ｍ部分の拡大縦断面図である。各吊り下げボルト１ｄの下端部に設けた横貫通小穴にＲピン２ｎを差し込んでナットの抜け止めをする。
【００３１】
球面座金２ｋは球面対偶をなす、凹球面を有する凹部材２ｋ1 と凸球面を有する凸部材２ｋ2 の２枚一組からなる座金である。
【００３２】
（ｃ）第３プレート３
第３プレート３は左右方向４６８ｍｍ・前後方向３００ｍｍの角板であり、左右辺側はそれぞれ上方に折り曲げて側壁板部３ａを具備させてある。この左右の側壁板部３ａの先端側にはそれぞれ対称にフック形状部３ｂを形成具備させてある。それらのフック形状部３ｂはそれぞれ前記第２プレート２側の左右側壁板部２ａのボス２ｇに対応する。
【００３３】
３ｃはその左右のフック形状部３ｂの外側にそれぞれ配設したロックプレートである。図７は該ロックプレート部分の斜視図である。このロックプレート３ｃは座板部３ｄに縦軸３ｅを中心に蝶番のように揺動自在に設けられ、面の中央部にボス２ｇが貫入する穴３ｆを有し、先端側を斜め外方に曲げてカム板部３ｇとしてある。座板部３ｄを側壁板部３ａの外面にネジ止めして取り付けてある。ロックプレート３ｃは不図示の付勢バネで縦軸３ｅを中心に側壁板部２ａの外面に閉じ込む方向に回動付勢させてある。
【００３４】
３ｈは左右の側壁板部３ａの後端側にそれぞれ対称に形成具備させた縦長穴である。それらの縦長穴３ｈはそれぞれ第２プレート２の左右の側壁板部２ａのボルト挿入穴２ｈ・ナット２ｉに対応する。
【００３５】
３ｉは該第３プレート３の上面に座板部３ｊを溶接して固定配設した、ウインチ使用時にウインチのフックを引っかけるための金輪である。３ｋは該プレート３の軽量化のための抜き穴である。
【００３６】
この第３プレート３はプロジェクターＶＰの上面に対して複数本のボルト３ｍとワッシャー３ｎを使用して確実に固定する。
【００３７】
第３プレート３を上面に取り付けたプロジェクターＶＰを持ち上げて、第３プレート３の左右側のフック形状部３ｂをそれぞれ、第１プレート１を介して天井１００に取り付けられている第２プレート２の左右側のボス２ｇの後に位置させてプロジェクターＶＰを前方に移動させると、ボス２ｇの先端にロックプレート３ｃのカム板部３ｇの内面が干渉してプロジェクターＶＰの前方移動に伴なってロックプレート３ｃが縦軸３ｅを中心に自動的に閉じ込み方向回動付勢バネに抗して開き回動して第３プレート３側の左右のフック形状部３ｂが第２プレート２側の左右のボス２ｇに掛合する。この掛合と同時にロックプレート３ｃの穴３ｆにボス２ｇの先端が対応してボス２ｇが穴３ｆに貫入することでロックプレート３ｃが付勢バネで自動的に閉じ込み回動する。これにより第２プレート２側の左右のボス２ｇに対する第３プレート３側の左右のフック形状部３ｂの掛合状態がロックされて外れ止めされた状態になる。閉じ込み回動した左右のロックプレート３ｃはそれぞれ左右側壁板部３ａにネジ３ｒ（図３の（ｂ））で止めて開き止めする。左右の各ボス２ｇにはその先端部に設けた横貫通小穴にＲピン３ｐ（図３の（ａ））を差し込む。
【００３８】
次いで第３プレート３の左右側壁板部３ａの後端側縦長穴３ｈにボルト３ｑを挿入して第２プレート２側の左右側壁板部２ａのボルト挿入穴２ｈ・ナット２ｉ（図５）にねじ込んで締め込む。これにより第３プレート３が第２プレート２に取り付けられ、プロジェクターＶＰが天井１００の下面に対して第１〜第３のプレート１〜３からなる金具Ａを介して、振動等で揺れ動くようなことなく安定に天吊り設置状態になる。
【００３９】
（ｄ）レジストレーション調整
▲１▼．左右方向・前後方向
第１プレート１は長穴１ｂの長手方向をスクリーンに対して左右方向にして天井下面に配設することで、長穴１ｂの長さ範囲で左右位置ずらし調整してセンター位置調整ができる。また長穴１ｂの長手方向をスクリーンに対して前後方向にして配設することで、長穴１ｂの長さ範囲で前後位置ずらし調整してスクリーンに対する前後方向の位置調整ができる。即ち、天井１００側のボルト１００ａの設置位置誤差を長穴１ｂの長さ範囲（本例では５０ｍｍ）でカバーできる。
【００４０】
▲２▼．垂直方向回動
第３プレート３はボルト３ｑをゆるめることにより横軸である第２プレート２側のボス２ｇを中心に垂直方向回動させることができ（本例では上方３°、下方５°）、調整した回動角度位置はボルト３ｑを締めることで固定することができる。
【００４１】
▲３▼．上下方向
第２プレート２は、第１プレート１側の４本の各吊り下げボルト１ｄに対するナット２ｍ・２ｍの位置調整によりボルト１ｄの長さ範囲内において全体に上下支持位置を調整できる（本例では上下３０ｍｍ範囲）。
【００４２】
▲４▼．水平方向回動
第２プレート２は、第１プレート１側の４本の各吊り下げボルト１ｄに対するナット２ｍ・２ｍの各上側のナットをゆるめることで、該プレート２面の前辺側の右隅角部の丸穴２ｂに貫通している吊り下げボルト１ｄを中心に、他の３本の吊り下げボルト１ｄが貫通している長穴２ｃ・２ｄ・２ｅの長さ範囲において水平方向回動させることができ（本例±１．５°）、調整した回動角度位置はゆるめた各上側ボルト２ｍを締めることで固定することができる。
【００４３】
▲５▼．スキュー角
第２プレート２は、第１プレート１側の４本の各吊り下げボルト１ｄに対するナット２ｍ・２ｍの位置を個々に上下位置調整することにより水平位置より左右に傾斜調整（スキュー角調整）することができる（本例では水平より±３°）。また同じ要領で第２プレート２を垂直方向に回動調整することもできる。
【００４４】
この場合において、第１プレート１側の４本の各吊り下げボルト１ｄに対するナット２ｍ・２ｍの位置を個々に上下位置調整することで、垂直方向の各吊り下げボルト１ｄに対して第２プレート２が図６の２点鎖線示のように傾斜姿勢になっても、該第２プレート２は各ボルト１ｄに対して該プレート２の上下面側においてそれぞれ球面座金２ｋ・２ｋを介してナット２ｍ・２ｍ間に挟み込ませて４本の各吊り下げボルト１ｄに取り付け支持させてあるから、該プレート２は各ボルト部分において常に球面座金２ｋ・２ｋ間に適正に挟み込まれてこじれ力が働くことなく上下のナット２ｍ・２ｍ間に適正にしっかりと締め付け保持される。また球面座金２ｋ・２ｋが存在していることで、ナット２ｍ・２ｍのボルト１ｄに沿う上下位置調整のための回し操作も容易・スムーズになされる。
【００４５】
かくして、天吊り金具Ａの上記▲１▼〜▲５▼の位置・姿勢操作により、該金具Ａを介して天井下面に天吊り設置したプロジェクターＶＰの垂直方向・水平方向の角度姿勢調整ばかりでなく、スクリーンに対する左右方向の位置、前後方向の位置、上下方向の吊り高さ、スキュー角度についても容易にメカニカルに調整することができて、スクリーンに対するプロジェクターＶＰの関係位置や支持姿勢を全方位的に所望に補正・調整することができる大きな自由度があるから、これによりレジストレーション調整の粗方をこのメカニカル調整で行ない、プロジェクターＶＰの電気的な補正・調整手段によるレジストレーション調整は微調整操作として無理・負担のない範囲でかつ容易に行なうことが可能となる。
【００４６】
（ｅ）その他
１）一旦天吊り設置したプロジェクターＶＰを取り外す場合は、ボルト３ｑを外し、ロックプレート３ｃの開止めネジ３ｒを外し、ボス２ｇからＲピン３ｐを外し、ロックプレート３ｃを開き回動させて、第２プレート２側のボス２ｇに対する第３プレート３側のフック形状部３ｂの掛合を外すことによりなされる。
【００４７】
２）第１プレート１は天井１００の下面に対して、天井側に埋設したコンクリートアンカ−（めねじ部材）にボルトをねじ込んで取り付けるようにすることもできる。
【００４８】
３）第１プレート１は図８や図９のように天井内部の梁や上部コンクリートスラブ等の十分な強度を有する部材より垂下させた吊りボルトに取り付け支持させることもできる。
【００４９】
４）天井に下向きに取り付けられるサポート部材（支柱部材）に第１プレート１を取り付け支持させることもできる。
【００５０】
５）図９のように、電動ウインチユニット４を天井内側の上部コンクリートスラブにウインチマウント（吊り）金具で取り付け、ウインチ４のフック４ａを第３プレート３の金輪３ｉに引っ掛けて、プロジェクターＶＰのメンテナンス時等における上げ下げをウインチ４の駆動により行なうように構成することもできる。
【００５１】
６）第１プレート１の４本の各吊り下げボルト１ｄに対応させる第２プレート２側の穴２ｂ〜２ｅはいずれも該プレート２の中央を中心とする円弧状長穴にして該プレート２の水平方向回動調整を可能にする構成とすることもできる。
【００５２】
７）第１プレート１の第２プレート吊り下げ用のボルト１ｄは４本でなく、三角形の３つの頂点に対応する位置関係に互いに間隔をあけて３本にした構成のものにすることもできる。
【００５４】
８）天吊りする投影装置は実施形態例の３管式ビデオプロジェクターＶＰに限らず、液晶ビデオプロジェクター、映写機、幻灯機等であってもよい。
【００５６】
【発明の効果】
以上のように本発明の投影装置の天吊り金具によれば、投影装置からスクリーンに対する投影画像のレジストレーション調整の粗方を天吊り金具のメカニカル調整で行なうことができて、投影装置の電気的な補正・調整手段によるレジストレーション調整は微調整操作として無理・負担のない範囲でかつ容易に行なうことが可能となる。また投影装置に振動揺れを生じさせることなく安定に天吊り設置状態にすることができる。
【図面の簡単な説明】
【図１】  本発明に従う天吊り金具を用いて３管式ビデオプロジェクターを天井下面に吊り下げて取り付け設置した状態の正面図
【図２】  その右側面図
【図３】  （ａ）は天吊り金具部分の一部切欠き拡大正面図、（ｂ）は一部切欠き拡大正面図
【図４】  天吊り金具の分解斜視図
【図５】  第２プレートの部分断面図
【図６】  球面座金部分の断面図
【図７】  ロックプレート部分の斜視図
【図８】  他の天吊り設置形態例の図
【図９】  さらに他の天吊り設置形態例の図
【符号の説明】
１００    天井側部材
ＶＰ    ３管式ビデオプロジェクター
Ｒ・Ｇ・Ｂ    ３原色像投射管
Ａ    天吊り金具
１〜３    第１〜第３プレート
４    電動ウインチ
【図１】
0003739846.tif 000002
【図２】
0003739846.tif 000003
【図３】
0003739846.tif 000004
【図４】
0003739846.tif 000005
【図５】
0003739846.tif 000006
【図６】
0003739846.tif 000007
【図７】
0003739846.tif 000008
【図８】
0003739846.tif 000009
【図９】
0003739846.tif 000010